(57)【特許請求の範囲】
【請求項１】
排稈を切断するカッター装置を、機体後部に一体的に設けられる支持フレームに対し、上下方向を向くカッター装置用支軸を介して開閉自在に組付け、さらに、カッター装置の後部には、カッター装置を経由しない排稈を集稈し、かつ集稈量が所定量に達した段階で放出動作を行うドロッパ装置を設けてなるコンバインにおいて、前記カッター装置の後方に、排稈をドロッパ装置に向けてガイドするガイド部材を配設するにあたり、該ガイド部材が組付けられるブラケットを、上下方向を向くガイド部材用支軸を介して前記支持フレームに組付けると共に、ガイド部材がカッター開閉動作に連動すべく、前記ブラケットをカッター装置に連繋したことを特徴とするコンバインのドロッパ装置。
【発明の詳細な説明】
【０００１】
【産業上の利用分野】
本発明は、開閉式カッター装置を備えたコンバインのドロッパ装置に関するものである。
【０００２】
【従来技術及び発明が解決しようとする課題】
一般に、この種コンバインにおいては、排稈を切断するカッター装置を、機体後部に一体的に設けられる支持フレームに対し、上下方向を向く支軸を介して開閉自在に組付け、さらにカッター装置の後部には、カッター装置を経由しない排稈を集稈し、かつ集稈量が所定量に達した段階で放出動作を行うドロッパ装置を設けたものが知られている。しかるに従来では、前記カッター装置の後方に、排稈をドロッパ装置に向けてガイドするガイド部材を配設するにあたり、該ガイド部材を、薄板部材で形成されるカッター上部カバーに組付けていたため、カッター上部カバーの振動が伝わってガイド部材が大きく振れる場合がある許りか、カッター上部カバーの変形等を回避するために補強が必要になる不都合もあった。
【０００３】
【課題を解決するための手段】
本発明は、上記の如き実情に鑑み、これらの課題を解決することができるコンバインのドロッパ装置を提供することを目的として創作されたものであって、排稈を切断するカッター装置を、機体後部に一体的に設けられる支持フレームに対し、上下方向を向くカッター装置用支軸を介して開閉自在に組付け、さらに、カッター装置の後部には、カッター装置を経由しない排稈を集稈し、かつ集稈量が所定量に達した段階で放出動作を行うドロッパ装置を設けてなるコンバインにおいて、前記カッター装置の後方に、排稈をドロッパ装置に向けてガイドするガイド部材を配設するにあたり、該ガイド部材が組付けられるブラケットを、上下方向を向くガイド部材用支軸を介して前記支持フレームに組付けると共に、ガイド部材がカッター開閉動作に連動すべく、前記ブラケットをカッター装置に連繋したことを特徴とするコンバインのドロッパ装置である。
そして本発明は、この構成によって、排稈をドロッパ装置に向けてガイドするガイド部材の振れを可及的に少なくするうえに、カッター上部カバーの補強も不要にすることができるようにしたものである。
【０００４】
【実施例】
次に、本発明の一実施例を図面に基づいて説明する。図面において、１はコンバインの走行機体であって、該走行機体１には、左右一対のクローラ走行体２、茎稈を刈取る前処理部３、刈取茎稈から穀粒を脱穀し、かつ穀粒を選別する脱穀選別部４、選別した穀粒を貯溜する穀粒タンク５、該穀粒タンク５内の穀粒を機体後部右端に立設される揚上筒６および旋回自在な旋回筒７を介して機外に搬出する穀粒搬出装置８、脱穀済の排稈を切断処理するカッター装置９等が設けられるが、これらの基本構成は何れも従来通りである。
【０００５】
１０は走行機体１の後部上面部に配設される排稈搬送装置であって、該排稈搬送装置１０は、前記カッター装置９に排稈を供給するカッター状態と、カッター装置９の上方を通過して排稈排出口９ａまで排稈を搬送する非カッター状態とに切換自在に構成されている。尚、１１は前記排稈排出口９ａを開閉するための排出口カバーである。
【０００６】
１２は前記揚上筒６に並設される支柱フレームであって、該支柱フレーム１２は、上下方向を向く支軸（カッター装置用の支軸）１３を介してカッター装置９を開閉自在に支持すべく、所定の剛性が確保されている。そして、カッター装置９を支軸１３を支点として後方に開放操作した場合には、走行機体１の後面部およびカッター装置９の前面部が露出するため、該部を容易にメンテナンスすることができるようになっている。
【０００７】
１４は前記カッター装置９の前面部に前後回動自在に設けられるセフティカバーであって、該セフティカバー１４は油圧シリンダ１５の伸縮に伴って回動し、該回動に基づいてカッター装置９の前面開口部９ｂ（メンテナンス用開口部）を開閉するようになっている。そして、カッター装置９の閉鎖時には、油圧シリンダ１５が自動的に伸長作動してセフティカバー１４をガイドレール１６に沿わせる一方、カッター装置９の開放時には、セフティカバー１４がガイドレール１６の後端までスライドした段階で油圧シリンダ１５が自動的に低速で縮小作動し、該縮小作動に伴ってセフティカバー１４がカッター装置９の前面開口部９ｂを閉鎖するようになっている。即ち、セフティカバー１４は、カッター装置９を開放した際、カッター装置９内部のカッター刃９ｃを隠すため、カッター刃９ｃの存在を意識することなく機体後部のメンテナンスを行うことができ、また、カッター装置８内のメンテナンスを行う場合には、油圧シリンダ１５を手動で伸長操作することによりカッター装置９の前面開口部９ｂを開放することができるようになっている。
【０００８】
１７は前記カッター装置９の後部に設けられるドロッパ装置であって、該ドロッパ装置１７は、前記排稈排出口９ａから排出された排稈を、ガイド板１８を経由してドロッパ本体１９に集稈すると共に、集稈量が所定量に達した段階で自動的に放出動作を行うべく構成されている。
【０００９】
さらに、２０は前記ドロッパ本体１９に向けて排稈をガイドする一対のガイドバーであって、該両ガイドバー２０の先端側は、カッター装置９の後方に上下方向を向いて並列する一方、両ガイドバー２０の基端側は、カッター装置９の上部カバー９ｄに沿って前記支柱フレーム１２の近傍まで達し、ここで単一のブラケット２１に組付けられるが、両ガイドバー２０が組付けられるブラケット２１を、上下方向を向く支軸（ガイドバー用の支軸）２２を介して支柱フレーム１２に組付けるようになっている。つまり、ガイドバー２０を剛性が高い支持フレーム１２に組み付けるようにしたため、上部カバー９ｄにガイドバー２０を組付けていた従来の如く、上部カバー９ｄの振動がガイドバー２０に直接伝わることを回避してガイドバー２０の振れを可及的に少なくすると共に、上部カバー９ｄの補強も不要にすることができるようになっている。
【００１０】
また、２３は連結ボルトであって、該連結ボルト２３は、前記ブラケット２１に支軸２２の放射方向を向いて形成される長孔２１ａを貫通すると共に、カッター装置９の上部カバー９ｄに螺合している。即ち、常時は、支軸２２を支点とするブラケット２１の回動を規制するが、カッター装置９を開閉操作した場合には、支軸１３と支軸２２の芯ズレを長孔２１ａで許容しつつ、ブラケット２１（ガイドバー２０）をカッター装置９に連動させるようになっており、このため、ガイドバー２０を剛性の高い支柱フレーム１２に組付けるものでありながら、カッター装置９の開閉に際してガイドバー２０が邪魔になる不都合を解消することができるようになっている。
【００１１】
ところで、本実施例では、前記ガイドバー２０の基端部を、ブラケット２１に対して左右回動自在に組付け、常時は、ブラケット２１の前部立上り片２１ｂに形成される第一係止溝２１ｃでガイドバー２０の回動規制をするが、ガイドバー２０の弾性を利用して第一係止溝２１ｃからガイドバー２０を外すと共に、該ガイドバー２０を、側部立上り片２１ｄに形成される第二係止溝２１ｅに係止するだけで、ガイドバー２０を収納姿勢（カッター装置９の後面に沿う姿勢）に変姿させることができるようになっている。
【００１２】
叙述の如く構成された本発明の実施例において、開閉自在に構成されるカッター装置９の後部にドロッパ装置１７を設けたものであるが、カッター装置９の後方で排稈をガイドするガイドバー２０のブラケット２１は、上下方向を向く支軸２２を介してカッター装置９の支持フレーム１２に組付けられている。従って、カッター装置９の上部カバー９ｄにガイドバー２０を組付けていた従来の如く、上部カバー９ｄの振動でガイドバー２０が大きく振れる不都合を解消することができる許りか、上部カバー９ｄの変形を防止するための補強も不要にすることができる。
【００１３】
しかも、カッター装置９を開閉操作した場合には、支軸１３と支軸２２の芯ズレを長孔２１ａで許容しつつ、ガイドバー２０をカッター装置９に連動させるため、ガイドバー２０を剛性の高い支柱フレーム１２に組付けるものでありながら、カッター装置９の開閉に際してガイドバー２０が邪魔になる不都合がない。
【００１４】
さらに、ガイドバー２０の弾性を利用して第一係止溝２１ｃからガイドバー２０を外すと共に、該ガイドバー２０を、側部立上り片２１ｄに形成される第二係止溝２１ｅに係止するだけで、ガイドバー２０を収納姿勢に変姿させることができるため、ガイドバー２０を収納する際に、工具を用いたり、ノブ付ボルトを回す煩わしさがなく、この結果、ガイドバー２０の収納操作を容易にする許りでなく、構造の簡略化にも貢献することができる。
【００１５】
【作用効果】
以上要するに、本発明は叙述の如く構成されたものであるから、支持フレームに開閉自在に組付けられるカッター装置の後部にドロッパ装置を設けたものであるが、カッター装置の後方に、排稈をドロッパ装置に向けてガイドするガイド部材を配設するにあたり、該ガイド部材が組付けられるブラケットを、上下方向を向く支軸を介して前記支持フレームに組付けるようにしたため、カッター上部カバーにガイド部材を組み付けていた従来の如く、カッター上部カバーの振動がガイド部材に直接伝わることを回避してガイド部材の振れを可及的に少なくすることができる許りか、カッター上部カバーの補強も不要にすることができる。しかも、ガイド部材がカッター装置に開閉動作に連動すべく、前記ブラケットをカッター装置に連繋しているため、カッター装置の開閉に際してガイド部材が邪魔になる不都合もない。
【図面の簡単な説明】
【図１】コンバインの斜視図である。
【図２】コンバインの後部斜視図である。
【図３】ガイドバーの取付構造を示す分解斜視図である。
【図４】（Ａ）および（Ｂ）はセフティカバーの作用を示す側面図である。
【図５】（Ａ）および（Ｂ）は同上斜視図である。
【符号の説明】
１    走行機体
９    カッター装置
１２  支柱フレーム
１７  ドロッパ装置
１８  ガイド板
１９  ドロッパ本体
２０  ガイドバー
２１  ブラケット
２２  支軸
【図１】
0003701048.tif 000002
【図２】
0003701048.tif 000003
【図３】
0003701048.tif 000004
【図４】
0003701048.tif 000005
【図５】
0003701048.tif 000006